(57)【要約】      （修正有）【課題】挿抜の容易性が高く、且つ、信頼性の高いコネクタシステムを提供する。【解決手段】第１端子１００を有するレセプタクルコネクタ１０と、第２端子２００を有するプラグコネクタ２０とを備え、挿入凹部に挿入凸部が挿入されることにより、第１端子１００と第２端子２００との間で電気的接続がなされるコネクタシステム１。レセプタクルコネクタ１０に第１磁石１１０が設けられ、プラグコネクタ２０に第２磁石２１０が設けられ、第１磁石１１０は、第１面が挿入凹部に臨み、且つｘ軸に沿う関係となる位置に設けられ、第２磁石２１０は、第３面が外側に臨み、且つｘ軸に沿う関係となる位置に設けられ、第１面及び第３面は同じ極性の磁極が配置され、且つ、所与の距離を隔てて対向するように配置され、電気的接続がなされたとき、第２磁石の中心Ｃ２が第１磁石の中心Ｃ１よりも＋ｘ方向にシフトしている。【選択図】図３
2018055959.tif 000002
【特許請求の範囲】
【請求項１】
第１端子を有し、シェルの内側が開口して挿入凹部が形成されたレセプタクルコネクタと、第２端子を有するプラグコネクタと、を備え、前記レセプタクルコネクタの前記挿入凹部に、前記プラグコネクタの挿入凸部が挿入されることにより、前記第１端子と前記第２端子との間で電気的接続がなされるコネクタシステムであって、
前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義し、前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義したとき、
前記レセプタクルコネクタには、第１面及び前記第１面と反対側の面である第２面を有する第１磁石が設けられ、
前記プラグコネクタには、第３面及び前記第３面と反対側の面である第４面を有する第２磁石が設けられ、
前記第１磁石は、前記レセプタクルコネクタの内部の位置であって、前記第１面が前記挿入凹部に臨み、且つ、前記第１面がｘ軸に沿う関係となるような位置に設けられており、
前記第２磁石は、前記プラグコネクタの外側の位置であって、前記第３面が外側に臨み、且つ、前記第３面がｘ軸に沿う関係となるような位置に設けられており、
前記第１面及び前記第３面には同じ極性の磁極が配置され、
前記プラグコネクタが前記レセプタクルコネクタに挿入されたとき、前記第１面と前記第３面とが所与の距離を隔てて対向するようにして前記第１磁石及び前記第２磁石が配置され、
前記プラグ側当接面とｘ軸に沿った前記第２磁石の中心との間の距離が、前記レセプタクル側当接面とｘ軸に沿った前記第１磁石の中心との間の距離よりも小さいことを特徴とするコネクタシステム。
【請求項２】
第１端子を有し、シェルの内側が開口して挿入凹部が形成されたレセプタクルコネクタと、第２端子を有するプラグコネクタと、を備え、前記レセプタクルコネクタの前記挿入凹部に、前記プラグコネクタの挿入凸部が挿入されることにより、前記第１端子と前記第２端子との間で電気的接続がなされるコネクタシステムであって、
前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義したとき、
前記レセプタクルコネクタには、第１面及び前記第１面と反対側の面である第２面を有する第１磁石が設けられ、
前記プラグコネクタには、第３面及び前記第３面と反対側の面である第４面を有する第２磁石が設けられ、
前記第１磁石は、前記レセプタクルコネクタの内部の位置であって、前記第１面が前記挿入凹部に臨み、且つ、前記第１面がｘ軸に沿う関係となるような位置に設けられており、
前記第２磁石は、前記プラグコネクタの外側の位置であって、前記第３面が外側に臨み、且つ、前記第３面がｘ軸に沿う関係となるような位置に設けられており、
前記第１面及び前記第３面には同じ極性の磁極が配置され、
前記プラグコネクタが前記レセプタクルコネクタに挿入されたとき、前記第１面と前記第３面とが所与の距離を隔てて対向するようにして前記第１磁石及び前記第２磁石が配置され、
前記プラグコネクタが前記レセプタクルコネクタに挿入されて、前記第１端子と前記第２端子との間で電気的接続がなされたとき、ｘ軸に沿った前記第２磁石の中心が、ｘ軸に沿った前記第１磁石の中心よりも＋ｘ方向にシフトしていることを特徴とするコネクタシステム。
【請求項３】
請求項１又は２に記載のコネクタシステムにおいて、
前記第１磁石及び前記第２磁石は、ｘ軸の周りを一周してｘ軸を取り囲むようにして形成されたリング状又は筒状のものであることを特徴とするコネクタシステム。
【請求項４】
請求項３に記載のコネクタシステムにおいて、
前記レセプタクルコネクタを＋ｘ方向に視たとき、前記挿入凹部は、ｘ軸を中心軸とする仮想的な円筒の内側の壁に対応する形状で内壁が形成されており、
前記プラグコネクタを−ｘ方向に視たとき、前記挿入凸部は、ｘ軸を中心軸とする円柱状に形成されており、
前記第１端子及び前記第２端子のうち受容側となる端子は、ｘ軸に沿って視たときｘ軸を中心とした同心円により輪郭が形成され、且つ、ｘ軸を中心とした半径の方向に幅を有するドーナッツ状に形成されており、
前記第１端子及び前記第２端子のうちピン側となる端子は、ｘ軸に沿って視たとき、前記受容側となる端子の前記幅の内に対応した位置に配置されていることを特徴とするコネクタシステム。
【請求項５】
請求項４に記載のコネクタシステムにおいて、
前記レセプタクルコネクタにおける挿入口付近には、前記挿入凹部の内壁端部からテーパー外端部にかけて、−ｘ方向に沿って進むにつれてｘ軸からの距離が徐々に大きくなるテーパー状又は湾曲状の部分（以下、これらを「テーパー部」という。）を有していることを特徴とするコネクタシステム。
【請求項６】
請求項５に記載のコネクタシステムにおいて、
前記レセプタクルコネクタにおける前記テーパー外端部の直径は、前記プラグコネクタにおける挿入凸部の直径の１．０５倍以上で且つ１．２倍以下の範囲内にあることを特徴とするコネクタシステム。
【請求項７】
請求項１〜６のいずれかに記載のコネクタシステムにおいて、
前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義し、
前記プラグコネクタにおける前記プラグ側当接面とｘ軸に沿った前記第２磁石の中心との間の距離をＬ２とし、前記レセプタクルコネクタにおける前記レセプタクル側当接面とｘ軸に沿った前記第１磁石の中心との間の距離をＬ１としたときに、
０．５ｍｍ  ＜（Ｌ１−Ｌ２）＜３ｍｍの関係にあることを特徴とするコネクタシステム。
【請求項８】
請求項１〜７のいずれかに記載のコネクタシステムにおいて、
前記第１端子及び前記第２端子には、少なくとも電源供給線を接続するために用いられる端子を含むことを特徴とするコネクタシステム。
【請求項９】
請求項８に記載のコネクタシステムにおいて、
前記電源供給線は、補助人工心臓を動作させるためのコントローラに対し電源供給する線であることを特徴とするコネクタシステム。
【請求項１０】
先端に挿入凸部が形成されたプラグコネクタであって、
前記挿入凸部を、レセプタクルコネクタのシェルの内側に開口して形成された挿入凹部に挿入することにより、前記レセプタクルコネクタが有する第１端子と前記プラグコネクタが有する第２端子との間で電気的接続を行うために供され、
前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義し、前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義したとき、
前記レセプタクルコネクタは、第１面及び前記第１面と反対側の面である第２面を有する第１磁石が設けられたものであり、
前記第１磁石は、前記レセプタクルコネクタの内部の位置であって、前記第１面が前記挿入凹部に臨み、且つ、前記プラグコネクタが前記レセプタクルコネクタに挿入されるときには前記第１面がｘ軸に沿う関係となるような位置に設けられているものであり、
前記プラグコネクタには、第３面及び前記第３面と反対側の面である第４面を有する第２磁石が設けられ、
前記第２磁石は、前記プラグコネクタの外側の位置であって、前記第３面が外側に臨み、且つ、前記第３面がｘ軸に沿う関係となるような位置に設けられており、
前記第１面及び前記第３面には同じ極性の磁極が配置されるものであり、
前記プラグコネクタが前記レセプタクルコネクタに挿入されたとき、前記第１面と前記第３面とが所与の距離を隔てて対向するようにして前記第１磁石及び前記第２磁石が配置されるものであり、
前記プラグ側当接面とｘ軸に沿った前記第２磁石の中心との間の距離が、前記レセプタクル側当接面とｘ軸に沿った前記第１磁石の中心との間の距離よりも小さい関係となるように、前記プラグコネクタにおける前記プラグ側当接面及び前記第２磁石が設定されたことを特徴とするプラグコネクタ。
【発明の詳細な説明】
【技術分野】
【０００１】
本発明は、コネクタシステム及びプラグコネクタに関する。
【背景技術】
【０００２】
今日、移動可能な機器（ポータブル機器）の多くは、電源ケーブル等によって外部から電力供給を受けられる時には該外部からの電力によって動作し、外部からの電力供給を受けられない時（例えば電力供給が断たれている時）には内蔵されたバッテリーの電力によって動作するというように、電源の切り替えを適宜行って動作を続けられるよう構成されている。
【０００３】
医療分野の機器においては、例えば、補助人工心臓用のコントローラ、点滴用の液体注入コントローラ等のようなポータブル機器が見られる。医療現場において、これらのコントローラの使用者（ここでの使用者は主に患者である。以下、使用者のことを患者ということがある。）は、コントローラと電源ケーブルと間の接続に関し次のような運用をしていることが多い。
電源ケーブルの一端を室内のＡＣ電源コンセントに接続する一方で、該電源ケーブルの他端に設けられたプラグコネクタをコントローラ側に設けられたレセプタクルコネクタに挿入して、これら一対のコネクタ（プラグコネクタ及びレセプタクルコネクタ）を接続する。このように電源ケーブルをコネクタで接続することによって、ＡＣ電源コンセントからの電力をコントローラに供給する。次に、患者がトイレ休憩等のために、ＡＣ電源コンセントの近傍を離れる際には、患者はレセプタクルコネクタからプラグコネクタを抜いてコネクタを分離し、電源ケーブルとコントローラとを分離する。この分離によって、患者が移動する間もコントローラを患者から離さずに帯同させることができる。そして、患者が所用を済ませ、ＡＣ電源コンセントの近傍に復帰したならば、患者は再びプラグコネクタをレセプタクルコネクタに挿入してコネクタを接続する。
【０００４】
図９は、従来のコネクタシステム６を説明するために示す図である。図９に示すコネクタシステム６は、丸形のロック式コネクタを用いたものの一例であり、医療分野の機器においても頻繁に採用されている。
【０００５】
従来のコネクタシステム６は、第１端子６００（図９においては複数のソケット状の受容端子からなる。）を有するレセプタクルコネクタ６０と、第２端子７００（図９においては複数のピン端子からなる。）を有するプラグコネクタ７０と、を備え、レセプタクルコネクタ６０の第１端子６００（受容端子）に、プラグコネクタ７０の第２端子７００（ピン端子）が挿入されることにより、第１端子６００と第２端子７００との間で電気的接続がなされる。
更に詳しく説明すると、プラグコネクタ７０においては、プラグ本体７３０に固定された第２インシュレータ７４０と、第２インシュレータ７４０に埋め込まれ、プラグケーブル５２０内のリード線（図示を省略。）に接続される第２端子７００と、プラグ本体７３０及び第２インシュレータ７４０に対して回動可能なバーレル７３５、並びに、バーレル７３５の内壁に設けられた突出キー７３７と、を有している。なお、バーレル７３５はバネ（図示を省略。）により周方向の一の回転方向に押されており、プラグコネクタ７０がレセプタクルコネクタ６０に挿入される以前には、突出キー７３７の回動角度が原点の角度となっている。
レセプタクルコネクタ６０においては、第１インシュレータ６４０に埋め込まれ、機器の筐体内のリード線（図示を省略。）に接続される第１端子６００と、少なくとも第１インシュレータ６４０を囲うシェル６３０と、シェル６３０の外壁に設けられ、突出キー７３７と対をなすキー溝６３２と、を有している。
【０００６】
従来のコネクタシステム６は、例えば、次のような工程を順番に実施することによりコネクタの接続を行うことができる。（１）プラグコネクタ７０の同軸Ａと、レセプタクルコネクタ６０の同軸Ｂとが一致するようにプラグコネクタ７０をレセプタクルコネクタ６０の位置まで移動させる（コネクタの位置合わせ工程）。（２）プラグコネクタ７０のバーレル７３５を、指でバネ力に抗って回動させて保持しつつ、プラグコネクタ７０を持つ手を回すことによりプラグ本体７３０及び第２インシュレータ７４０を一体的に回転させて適切な角度を探しながら、プラグコネクタ７０の突出キー７３７をレセプタクルコネクタ６０のキー溝６３２に合わせる（コネクタの角度合せ工程）。角度合せがなされると、プラグコネクタ７０の第２端子７００（複数のピン端子）の配列がレセプタクルコネクタ６０の第１端子６００（複数の受容端子）の配列と合致することとなる。（３）プラグコネクタ７０をレセプタクルコネクタ６０に対し、双方の同軸に沿った方向に挿入していく（プラグコネクタの挿入工程）。挿入が進むにつれ、第２端子７００が第１端子６００に嵌合し、プラグケーブル５２０側と筐体側との電気的接続がなされることとなる。なお、このとき、突出キー７３７はキー溝６３２に沿って挿入方向に移動している。突出キー７３７が挿入方向の度当り（壁）に到達するまで更に挿入を進める。（４）指でバネ力に抗いつつ保持していたバーレル７３５を開放して、突出キー７３７をキー溝６３２の形状に沿って周方向に回動させる（原点の角度に向かうようにして回動させる。）。これ以上回動できない位置まで突出キー７３７を回動させると、プラグコネクタ７０のレセプタクルコネクタ６０へのロックが完了する（コネクタのロック工程）。
なお、プラグコネクタ７０をレセプタクルコネクタ６０から抜く場合は、上記と逆の工程を実施する。
【０００７】
しかし、従来のコネクタシステム６は、コネクタの角度合せ工程において、バーレル７３５を指でバネ力に抗って回動させて保持しつつ、手首を回しながらプラグコネクタ全体を回転させて適切な角度を探さなければならず、患者には相当程度、指先の集中力が必要となる。また、プラグコネクタの挿入工程においては、押し込むようにして挿入するため、患者には相当程度の押込力が必要となる。また、全体としても、コネクタを接続するために経なければならない工程が比較的多く煩雑である。このように、ロック式の従来のコネクタシステム６は、プラグコネクタ「挿抜の容易性」において改善すべき課題がある。
特に、補助人工心臓用のコントローラ、点滴用の液体注入コントローラ等に挙げられる特定分野の医療機器の使用者（患者）は、一般に体力及び気力が十分でないことが多い。このため、使用者（患者）は、プラグコネクタ挿抜の容易性がどの程度確保されているかについて、健常者よりも影響を受けやすい立場に立たされている。
また、この特定分野の医療機器は、その運用方法によっては、家電、設備等の他の分野の機器に比べてプラグコネクタの挿抜頻度が極めて高い場合がある。例えば、上記した医療現場（コントローラの使用現場）では、使用者（患者）がＡＣ電源コンセントの近傍に居ることができる場面とＡＣ電源コンセントの近傍から離れて移動しなければならない場面とが交互に生ずるため、これに伴ってプラグコネクタの挿抜が繰り返し頻繁に行われている。使用者（患者）に依っては年間５千回を超える挿抜を行う者もいるという報告もある。
以上の事情もあり、医療現場においては、患者が感じているプラグコネクタの挿抜操作の負担感は健常者が感じている以上に大きなものとなっており、プラグコネクタの「挿抜の容易性」の向上に期待が寄せられている。
【０００８】
上記したように、医療機器の使用者（患者）は体力及び気力が十分でないことが多いため、上記（１）〜（４）のコネクタ接続のための工程を順番に実施することを煩わしく感ずる者も多く、使用者（患者）によっては上記複数の工程を同時に実施しようとする傾向又は一部の工程を省略して実施しようとする傾向がある。一例を挙げると、プラグコネクタ７０をレセプタクルコネクタ６０に押し込みながら（プラグコネクタの挿入工程）、プラグコネクタ７０全体を回転させて突出キー７３７がキー溝６３２に合う角度を探すといった操作が同時に行われている。仮にこのような操作が繰り返されると、ピン端子（第２端子７００）の先端がレセプタクルコネクタ６０の第１インシュレータ６４０と摩擦することにより、ピン端子（第２端子７００）が折れ曲がってしまう可能性がある。また、シェル６３０の本体部分とキー溝６３２との間の段差により突出キー７３７を潰してしまう可能性がある。
このように、従来のロック式コネクタによるコネクタシステム６は、操作の仕方によってはコネクタを破損する可能性があり、「耐久性」において改善すべき課題がある。
【０００９】
一方、ロック式コネクタの代わりに、磁石の吸引力を活用したマグネット式コネクタを導入することも検討できる（例えば、特許文献１参照。）。
【００１０】
図１０は、マグネット式コネクタによる別の従来のコネクタシステム８を説明するために示す図である。なお、明細書で説明しない符号である５２０はプラグケーブルを、５２８は第１リード線を、５２９は第２リード線を、９３０はプラグハウジングを、９６０は弾性体をそれぞれ示している。
別の従来のコネクタシステム８は、第１端子８００を有し、シェル８３０の内側が開口して挿入凹部８３２が形成されたレセプタクルコネクタ８０と、第２端子９００を有するプラグコネクタ９０と、を備え、プラグコネクタ９０の挿入凸部９３２がレセプタクルコネクタ８０の挿入凹部８３２に挿入されることにより、第１端子８００と第２端子９００との間で電気的接続がなされるコネクタシステムである。レセプタクルコネクタ８０には、第１磁気要素８１０が設けられ、プラグコネクタ９０には、第２磁気要素９１０が設けられている。第１磁気要素８１０は、レセプタクルコネクタ８０の内部の位置であって、第１磁気接触面８１２がｘ軸（定義は後述する。）と垂直になるような位置関係となるように設けられている。第２磁気要素９１０は、プラグコネクタ９０がレセプタクルコネクタ８０に対し挿入されるとき、第２磁気接触面９１２が第１磁気接触面８１２と対向する位置関係となるように設けられている。こうして、対向する第１磁気要素８１０及び第２磁気要素９１０は互いに吸引し合う関係となる様に構成されている。
なお、ここでは、プラグコネクタ９０がレセプタクルコネクタ８０に挿入されるときの挿入方向を＋ｘ方向と定義し、＋ｘ方向と逆の方向を−ｘ方向と定義し、プラグコネクタ９０を−ｘ方向に視たとき挿入凸部９３２の中央部を通る軸であって＋ｘ方向と平行な軸をｘ軸と定義する。また、プラグコネクタ９０のレセプタクルコネクタ８０への挿入限界を規制するプラグコネクタ９０及びレセプタクルコネクタ８０における壁を、それぞれプラグ側当接面９５０及びレセプタクル側当接面８５０と定義する。
【００１１】
別の従来のコネクタシステム８において、プラグコネクタ９０の挿入凸部９３２が、レセプタクルコネクタ８０の挿入凹部８３２の挿入口８３４付近に導かれると、第１磁気要素８１０及び第２磁気要素９１０は磁力により互いに吸引し、プラグコネクタ９０がレセプタクルコネクタ８０に対し助力を得て挿入されていき、最終的にはプラグ側当接面９５０がレセプタクル側当接面８５０に当接し、第２端子９００の先端が第１端子８００の受容面に接触して、第１端子８００と第２端子９００との間で電気的接続がなされる。
別の従来のコネクタシステム８によれば、従来のコネクタシステム６のようなコネクタの角度合せ工程やコネクタのロック工程が不要となり、プラグコネクタの「挿抜の容易性」を高めることができる。また、上記したピン端子や突出キーの破損の問題も生じづらくなり「耐久性」を高めることができる。
【先行技術文献】
【特許文献】
【００１２】
【特許文献１】特表２００９−５１０６７４号公報
【発明の概要】
【発明が解決しようとする課題】
【００１３】
しかしながら、別の従来のコネクタシステム８においては、例えば、レセプタクル側当接面８５０とプラグ側当接面９５０との間に異物が噛んでいるときや、挿入凹部８３２と挿入凸部９３２との間の嵌め合せがきついときなどは、プラグコネクタ９０をレセプタクルコネクタ８０に挿入したつもりでも、確実に挿入されず第１端子８００と第２端子９００との間での電気的接続がなされないことがあり、「挿抜の確実性」において課題がある。
また、プラグコネクタ９０の挿入凸部９３２が、たまたま、レセプタクルコネクタ８０の挿入口８３４付近に位置すると、第１磁気要素８１０及び第２磁気要素９１０の磁力による吸引作用により、勝手にプラグコネクタ９０がレセプタクルコネクタ８０に引き込まれて、第２端子９００及び第１端子８００が接触してしまい、使用者の意図に反してコネクタが接続されてしまう虞があり、「誤挿入の防止」の観点において課題がある。
【００１４】
以上に説明したように、レセプタクルコネクタに対するプラグコネクタの挿抜にあたっては、従来のコネクタシステム６では「挿抜の容易性」において改善すべき課題がある。また、従来のコネクタシステム６では、挿抜の仕方によってはコネクタが破損する可能性もあり「耐久性」において改善すべき課題があり、さらに、別の従来のコネクタシステム８では「挿抜の確実性」及び「誤挿入の防止」において課題があるため、市場からはより一層「信頼性」の高いコネクタシステムが求められている。
【００１５】
本発明は上記事情に鑑みてなされたものであり、挿抜の容易性が高く、且つ、信頼性の高いコネクタシステムを提供することを目的とする。
【課題を解決するための手段】
【００１６】
［１］本発明のコネクタシステムは、第１端子を有し、シェルの内側が開口して挿入凹部が形成されたレセプタクルコネクタと、第２端子を有するプラグコネクタと、を備え、前記レセプタクルコネクタの前記挿入凹部に、前記プラグコネクタの挿入凸部が挿入されることにより、前記第１端子と前記第２端子との間で電気的接続がなされるコネクタシステムであって、前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義し、前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義したとき、前記レセプタクルコネクタには、第１面及び前記第１面と反対側の面である第２面を有する第１磁石が設けられ、前記プラグコネクタには、第３面及び前記第３面と反対側の面である第４面を有する第２磁石が設けられ、前記第１磁石は、前記レセプタクルコネクタの内部の位置であって、前記第１面が前記挿入凹部に臨み、且つ、前記第１面がｘ軸に沿う関係となるような位置に設けられており、前記第２磁石は、前記プラグコネクタの外側の位置であって、前記第３面が外側に臨み、且つ、前記第３面がｘ軸に沿う関係となるような位置に設けられており、前記第１面及び前記第３面には同じ極性の磁極が配置され、前記プラグコネクタが前記レセプタクルコネクタに挿入されたとき、前記第１面と前記第３面とが所与の距離を隔てて対向するようにして前記第１磁石及び前記第２磁石が配置され、前記プラグ側当接面とｘ軸に沿った前記第２磁石の中心との間の距離が、前記レセプタクル側当接面とｘ軸に沿った前記第１磁石の中心との間の距離よりも小さいことを特徴とする。
【００１７】
レセプタクルコネクタには、レセプタクルコネクタの内部の位置であって、第１面が挿入凹部に臨み、且つ、第１面がｘ軸に沿う関係となる位置に第１磁石が設けられている。プラグコネクタには、プラグコネクタの外側の位置であって、第３面が外側に臨み、且つ、第３面がｘ軸に沿う関係となる位置に第２磁石が設けられている。第１面及び第３面には同じ極性の磁極が配置され、第１面と第３面とが対向するように第１磁石及び第２磁石（以下、両磁石という。）が配置されている。
このような構成になっているため、まず、プラグコネクタがレセプタクルコネクタの挿入口に導かれて、第１磁石の第１面及び第２磁石の第３面が接近すると、互いに斥力を生じることとなる。該斥力により、プラグコネクタは−ｘ方向の力（反発力）を受けることとなる（反発モード）。
【００１８】
プラグコネクタにおけるプラグ側当接面と第２磁石の中心との間の距離が、レセプタクルコネクタにおけるレセプタクル側当接面とｘ軸に沿った第１磁石の中心との間の距離よりも小さくなるように設定されている。
このような構成になっているため、反発モードの状態においても、強制的にプラグコネクタに＋ｘ方向の力を加えれば、プラグコネクタを更にレセプタクルコネクタ（挿入凹部）の奥に押し込むことができる。
【００１９】
プラグコネクタを更に押し込むことによって、第２磁石の中心が、第１磁石の中心を超えて＋ｘ方向側に位置するようになると、次は、両磁石の斥力の方向が反転し、プラグコネクタは＋ｘ方向の力（吸引力。レセプタクルコネクタの奥の方に引き込まれる力。）を受けることとなる（吸引モード）。
【００２０】
吸引力を受けたプラグコネクタは、レセプタクルコネクタ（挿入凹部）の奥に吸引され、やがて、レセプタクル側当接面及びプラグ側当接面は互いに当接する。このとき、第１端子及び第２端子は互いに接触し、第１端子と第２端子との間で電気的な接続がなされる（接続完了状態）。
【００２１】
（１）上記したようにプラグコネクタがレセプタクルコネクタに押し込まれる過程で、プラグコネクタは始め反発力を受け次に吸引力を受けるというように、プラグコネクタが受ける力の向きが変化する。
また、プラグコネクタがレセプタクルコネクタに押し込まれる過程で、第１磁石及び第２磁石の相対的な位置関係が逐一変化することから、第１磁石の発する磁力線と第２磁石の発する磁力線との間の干渉の状況も逐一変化し、これに伴い斥力の大きさも変化する。したがって、プラグコネクタが受ける反発力及び吸引力の大きさも変化することとなる。
したがって、本発明のコネクタシステムによれば、使用者は、プラグコネクタをレセプタクルコネクタに押し込む過程で、プラグコネクタを持つ手を通じて、プラグコネクタが受ける力の向きの変化や力の大きさの変化を手応え（クリック感）として感知することができ、これによりプラグコネクタが確実に挿入されたことを認識することができる。
プラグコネクタを抜く場合の作用は上記と逆を辿ることとなるが、その効果は基本的にプラグコネクタを挿入する場合と同様である。
このようにして、本発明によれば「挿抜の確実性」が高いコネクタシステムとすることができる。
（２）コネクタを接続する意図があるときには、使用者は、上記のように意識的に反発力に逆らいながらプラグコネクタをレセプタクルコネクタに押し込む作業を行うこととなる。逆にコネクタを接続する意図がないとき、プラグコネクタの挿入凸部が、たまたまレセプタクルコネクタの挿入口付近に位置していたとしても、始めは反発力を生じているため、別の従来のコネクタシステムのように、プラグコネクタが吸引されて勝手にレセプタクルの奥に引き込まれ意図に反してコネクタが接続されてしまうこともない。このように、本発明のコネクタシステムによれば「誤挿入の防止」を担保することができる。
（３）接続完了状態において、第２端子は、両磁石の斥力により第１端子に押圧されるため、第１端子及び第２端子の接触が確実なものとなり、接続信頼性を高めることができる（接触の確実化）。また、両磁石の斥力により常にプラグコネクタはレセプタクルコネクタに吸引されているため、仮にプラグコネクタに外的な力が加わったとしても、容易にプラグコネクタが抜けることはない（コネクタの抜け防止）。
上記（１）〜（３）から、本発明によれば「信頼性」の高いコネクタシステムを提供することができる。
【００２２】
また、本発明によれば、プラグコネクタをレセプタクルコネクタに対し単に一方向に押し込むだけでコネクタの接続を完了することができるため、「挿抜の容易性」が高いコネクタシステムを提供することができる。併せて「耐久性」のあるコネクタシステムを提供することができる。
【００２３】
［２］本発明のコネクタシステムは、第１端子を有し、シェルの内側が開口して挿入凹部が形成されたレセプタクルコネクタと、第２端子を有するプラグコネクタと、を備え、前記レセプタクルコネクタの前記挿入凹部に、前記プラグコネクタの挿入凸部が挿入されることにより、前記第１端子と前記第２端子との間で電気的接続がなされるコネクタシステムであって、前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義したとき、前記レセプタクルコネクタには、第１面及び前記第１面と反対側の面である第２面を有する第１磁石が設けられ、前記プラグコネクタには、第３面及び前記第３面と反対側の面である第４面を有する第２磁石が設けられ、前記第１磁石は、前記レセプタクルコネクタの内部の位置であって、前記第１面が前記挿入凹部に臨み、且つ、第１面がｘ軸に沿う関係となるような位置に設けられており、前記第２磁石は、前記プラグコネクタの外側の位置であって、前記第３面が外側に臨み、且つ、前記第３面がｘ軸に沿う関係となるような位置に設けられており、前記第１面及び前記第３面には同じ極性の磁極が配置され、前記プラグコネクタが前記レセプタクルコネクタに挿入されたとき、前記第１面と前記第３面とが所与の距離を隔てて対向するようにして前記第１磁石及び前記第２磁石が配置され、前記プラグコネクタが前記レセプタクルコネクタに挿入されて、前記第１端子と前記第２端子との間で電気的接続がなされたとき、ｘ軸に沿った前記第２磁石の中心が、ｘ軸に沿った前記第１磁石の中心よりも＋ｘ方向にシフトしていることを特徴とする。
【００２４】
本発明のコネクタシステムは、レセプタクルコネクタには、第１面及び第１面と反対側の面である第２面を有する第１磁石が設けられている。プラグコネクタには、第３面及び第３面と反対側の面である第４面を有する第２磁石が設けられている。第１面及び第３面には同じ極性の磁極が配置され、第１面と第３面とが所与の距離を隔てて対向するように第１磁石及び第２磁石が配置されており、プラグコネクタがレセプタクルコネクタに挿入されて、第１端子と第２端子との間で電気的接続がなされたとき、ｘ軸に沿った前記第２磁石の中心が、ｘ軸に沿った前記第１磁石の中心よりも＋ｘ方向にシフトしている。
このような構成になっているため、電気的接続がなされたとき（接続完了状態）、第２端子は、両磁石の斥力により第１端子に押圧され、第１端子及び第２端子の接触が確実なものとなり、接続の信頼性を高めることができる。また、両磁石の斥力により常にプラグコネクタはレセプタクルコネクタに吸引されているため、仮にプラグコネクタに外的な力が加わったとしても、容易にプラグコネクタが抜けることはない（コネクタの抜け防止）。
このように、本発明によれば「信頼性」の高いコネクタシステムを提供することができる。
【００２５】
なお、上記［２］に記載したコネクタシステムによれば、基本的に上記［１］に記載したコネクタシステムと同様の構成を有するため、上記［１］に記載したコネクタシステムが有する効果のうち該当する効果をそのまま有する。
【００２６】
［３］上記［１］又は［２］に記載のコネクタシステムにおいては、前記第１磁石及び前記第２磁石は、ｘ軸の周りを一周してｘ軸を取り囲むようにして形成されたリング状又は筒状のものであることが好ましい。
【００２７】
このように第１磁石及び第２磁石をリング状又は筒状とすることで、第１磁石の第１面及び第２磁石の第３面を、ｘ軸を取り囲むように一周するように構成することができ、より強い斥力を発生させることができる。このため、上記したプラグコネクタを挿抜する際の手応え（クリック感）を高めることができ、「挿抜の確実性」がより高いコネクタシステムとすることができる。また、上記した「誤挿入の防止」及び「コネクタの抜け防止」の効果を高めることができる。こうして「信頼性」のより高いコネクタシステムとすることができる。
【００２８】
［４］上記［３］に記載のコネクタシステムにおいては、前記レセプタクルコネクタを＋ｘ方向に視たとき、前記挿入凹部は、ｘ軸を中心軸とする仮想的な円筒の内側の壁に対応する形状で内壁が形成されており、前記プラグコネクタを−ｘ方向に視たとき、前記挿入凸部は、ｘ軸を中心軸とする円柱状に形成されており、前記第１端子及び前記第２端子のうち受容側となる端子は、ｘ軸に沿って視たときｘ軸を中心とした同心円により輪郭が形成され、且つ、ｘ軸を中心とした半径の方向に幅を有するドーナッツ状に形成されており、前記第１端子及び前記第２端子のうちピン側となる端子は、ｘ軸に沿って視たとき、前記受容側となる端子の前記幅の内に対応した位置に配置されていることが好ましい。
【００２９】
レセプタクルコネクタの挿入凹部を円筒の内側の壁に対応する形状に形成し、プラグコネクタの挿入凸部を円柱状に形成し、受容側となる端子を半径の方向に幅を有するドーナッツ状に形成し、ピン側となる端子を前記受容側となる端子の前記幅の内に対応した位置に配置させている。これにより、仮にｘ軸を中心としたプラグコネクタの角度がどのような角度であっても、プラグコネクタをレセプタクルコネクタに押し込むことができ、接続を完了することができる。
【００３０】
また、このような構成となっているため、従来のコネクタシステムのようなキー突出部、キー溝等が不要となり、かかる突出部、溝等を破損することもない。また、キー突出部をキー溝に合わせるためにプラグコネクタを回動させる必要もないことから、ピン端子をインシュレータと摩擦させてピン端子を破損することもない。さらに、受容端子の接点の摩耗も均されることとなり長寿命が期待できる。したがって、従来のコネクタシステムよりも破損しづらく「耐久性」が高いコネクタシステムとすることができる。
【００３１】
また、このような構成となっているため、単に一方向に押し込むだけでプラグコネクタとレセプタクルコネクタとの間の接続を完了することができる。したがって、「挿抜の容易性」が高いコネクタシステムとすることができる。ひいては、使用者のプラグコネクタの挿抜操作の負担感も軽減される。
【００３２】
［５］上記［４］に記載のコネクタシステムにおいては、前記レセプタクルコネクタにおける挿入口付近には、前記挿入凹部の内壁端部からテーパー外端部にかけて、−ｘ方向に沿って進むにつれてｘ軸からの距離が徐々に大きくなるテーパー状又は湾曲状の部分（テーパー部）を有していることが好ましい。
【００３３】
レセプタクルコネクタにおいてテーパー部を有しているため、プラグコネクタを挿入凹部に導くことが容易になる。このため、プラグコネクタをレセプタクルコネクタに対し挿入しようとする際に、比較的ラフな位置合わせによってもプラグコネクタを挿入凹部に導くことができ、「挿抜の容易性」が高いコネクタシステムとすることができる。ひいては、使用者のプラグコネクタの挿抜操作の負担感も軽減される。
【００３４】
［６］上記［５］に記載のコネクタシステムにおいては、前記レセプタクルコネクタにおける前記テーパー外端部の直径は、前記プラグコネクタにおける挿入凸部の直径の１．０５倍以上で且つ１．２倍以下の範囲内にあることが好ましい。
【００３５】
このような構成となっているため、挿入凸部の直径に対するテーパー外端部の直径の比率が小さすぎて、プラグコネクタを精密に位置合わせしなければならないということもない。また、当該比率が大きすぎて、テーパーの角度が緩くなり、プラグコネクタを挿入凹部に導きづらくなってしまうこともない。
しかるに、当該比率を１．０５倍以上且つ１．２倍以下に設定することで、「挿抜の容易性」を適切に確保することができる。
【００３６】
［７］上記［１］〜［６］のいずれかに記載のコネクタシステムにおいては、前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義し、前記プラグコネクタにおける前記プラグ側当接面とｘ軸に沿った前記第２磁石の中心との間の距離をＬ２とし、前記レセプタクルコネクタにおける前記レセプタクル側当接面とｘ軸に沿った前記第１磁石の中心との間の距離をＬ１としたときに、０．５ｍｍ  ＜（Ｌ１−Ｌ２）＜３ｍｍの関係にあることが好ましい。
【００３７】
このような構成となっているため、Ｌ１−Ｌ２の値が大きすぎるために（すなわち、第１磁石の中心と第２磁石の中心が離れすぎているために）、第１磁石による磁力線と第２磁石による磁力線とが干渉する部分（合い衝突する部分）の磁力線の密度が疎となってしまい、十分な斥力が発揮できないということもない。また、Ｌ１−Ｌ２の値が小さすぎるために（すなわち、第１磁石の中心と第２磁石の中心が接近しすぎているために）、第１磁石と第２磁石による斥力のうちｘ軸に垂直な方向の成分の力が強まり、その分、ｘ軸に平行な方向の成分の力が弱まってしまい、プラグコネクタの反発力や吸引力に対し有効に寄与するｘ軸に平行な方向の成分の力を十分に発揮することができない、ということもない。
しかるに、Ｌ１−Ｌ２の値を０．５ｍｍよりも大きく３ｍｍよりも小さい範囲に設定することで、第１磁石と第２磁石による斥力のうち、プラグコネクタの反発力や吸引力に対し有効に寄与するｘ軸に平行な方向の成分の力を、十分に発揮することができる。このようにして得られる十分な斥力により、上記した「挿抜の確実性」を高めることができ、「誤挿入の防止」及び「コネクタの抜け防止」をより適切に奏することができ、一層「信頼性」の高いコネクタシステムとすることができる。
【００３８】
［８］上記［１］〜［７］のいずれかに記載のコネクタシステムにおいては、前記第１端子及び前記第２端子には、少なくとも電源供給線を接続するために用いられる端子を含むことが好ましい。
【００３９】
ポータブル機器は、通常の機器よりも電源供給のためのコネクタの挿抜回数が多い。かかる機器に適用されるコネクタにあっては、コネクタの「挿抜の容易性」、及び、「耐久性」、「挿抜の確実性」、「誤挿入の防止」等の「信頼性」の高さが特に重要である。本発明のコネクタシステムは「挿抜の容易性」及び「信頼性」の高いコネクタシステムであるため、第１端子及び第２端子に少なくとも電源供給線を接続するために用いられる端子（例えば、コネクタの挿抜回数が多いポータブル機器へ電源供給するために用いられる端子。）を含ませれば、本発明のコネクタシステムの作用・効果を最大限に発揮させることができる。
【００４０】
［９］上記［８］に記載のコネクタシステムにおいては、前記電源供給線は、補助人工心臓を動作させるためのコントローラに対し電源供給する線であることが好ましい。
【００４１】
補助人工心臓を動作させるためのコントローラにあっては、通常の機器よりも電源供給のためのコネクタの挿抜回数が多いことから、コネクタの「挿抜の容易性」、及び、「耐久性」、「挿抜の確実性」、「誤挿入の防止」等の「信頼性」の高さが特に重要である。本発明のコネクタシステムは「挿抜の容易性」及び「信頼性」の高いコネクタシステムであるため、コネクタの挿抜回数が多い補助人工心臓を動作させるためのコントローラへの電源供給に適用されることが好適である。
【００４２】
［１０］本発明のプラグコネクタは、先端に挿入凸部が形成されたプラグコネクタであって、前記挿入凸部を、レセプタクルコネクタのシェルの内側に開口して形成された挿入凹部に挿入することにより、前記レセプタクルコネクタが有する第１端子と前記プラグコネクタが有する第２端子との間で電気的接続を行うために供され、前記プラグコネクタが前記レセプタクルコネクタに挿入されるときの挿入方向を＋ｘ方向と定義し、＋ｘ方向と逆の方向を−ｘ方向と定義し、前記プラグコネクタを−ｘ方向に視たとき前記挿入凸部の中央部を通る軸であって＋ｘ方向と平行な軸をｘ軸と定義し、前記プラグコネクタの前記レセプタクルコネクタへの挿入限界を規制する前記プラグコネクタ及び前記レセプタクルコネクタにおける壁を、それぞれプラグ側当接面及びレセプタクル側当接面と定義したとき、前記レセプタクルコネクタは、第１面及び前記第１面と反対側の面である第２面を有する第１磁石が設けられたものであり、前記第１磁石は、前記レセプタクルコネクタの内部の位置であって、前記第１面が前記挿入凹部に臨み、且つ、前記プラグコネクタが前記レセプタクルコネクタに挿入されるときには前記第１面がｘ軸に沿う関係となるような位置に設けられているものであり、前記プラグコネクタには、第３面及び前記第３面と反対側の面である第４面を有する第２磁石が設けられ、前記第２磁石は、前記プラグコネクタの外側の位置であって、前記第３面が外側に臨み、且つ、前記第３面がｘ軸に沿う関係となるような位置に設けられており、前記第１面及び前記第３面には同じ極性の磁極が配置されるものであり、前記プラグコネクタが前記レセプタクルコネクタに挿入されたとき、前記第１面と前記第３面とが所与の距離を隔てて対向するようにして前記第１磁石及び前記第２磁石が配置されるものであり、前記プラグ側当接面とｘ軸に沿った前記第２磁石の中心との間の距離が、前記レセプタクル側当接面とｘ軸に沿った前記第１磁石の中心との間の距離よりも小さい関係となるように、前記プラグコネクタにおける前記プラグ側当接面及び前記第２磁石が設定されたことを特徴とする。
【００４３】
なお、［１０］に記載のプラグコネクタは、［１］又は［２］に記載されたコネクタシステムに係るプラグコネクタと実質的に同等である。このため、［１０］に記載のプラグコネクタは［１］又は［２］に記載されたコネクタシステムに係るプラグコネクタが奏する効果と同様の効果を奏する。
【図面の簡単な説明】
【００４４】
【図１】実施形態１に係るコネクタシステム１の構成要件であるレセプタクルコネクタ１０を説明するために示す図である。
【図２】実施形態１に係るコネクタシステム１の構成要件であるプラグコネクタ２０を説明するために示す図である。
【図３】実施形態１に係るコネクタシステム１を説明するために示す断面図である。
【図４】実施形態１に係るコネクタシステム１の作用を説明するために示す図である。
【図５】実施形態２に係るコネクタシステム２の構成要件であるレセプタクルコネクタ３０を説明するために示す図である。
【図６】実施形態２に係るコネクタシステム２の構成要件であるプラグコネクタ４０を説明するために示す図である。
【図７】変形例に係るコネクタシステム２ａを説明するために示す図である。
【図８】変形例に係るコネクタシステム１ａを説明するために示す図である。
【図９】従来のコネクタシステム６を説明するために示す図である。
【図１０】マグネット式コネクタによる別の従来のコネクタシステム８を説明するために示す図である。
【発明を実施するための形態】
【００４５】
以下、本発明のコネクタシステム及びプラグコネクタを図に示す実施形態に基づいて詳細に説明する。なお、図面における各図は模式図であり、各構成要素のサイズ、各構成要素間のサイズ比率などは必ずしも実際のものを厳密に反映したものではない。
【００４６】
［実施形態１］    
１．実施形態１に係るコネクタシステム１の構造
図１は、実施形態１に係るコネクタシステム１の構成要件であるレセプタクルコネクタ１０を説明するために示す図である。図１（ａ）はレセプタクルコネクタ１０の断面図である。第１リード線５１２、第２リード線５１４及び第１渡り線５１６は、実際には断面に現れないが参考として実線で示してある（以下、他の図面においても同様。）。図１（ｂ）は、図１（ａ）に示すレセプタクルコネクタ１０をｘ軸に沿って矢印Ｐ１の方向に視た場合の側面図である。
図２は、実施形態１に係るコネクタシステム１の構成要件であるプラグコネクタ２０を説明するために示す図である。図２（ａ）は、図２（ｂ）に示すプラグコネクタ２０をｘ軸に沿って矢印Ｐ２の方向に視た場合の側面図である。図２（ｂ）はプラグコネクタ２０の断面図である。第３リード線５２２、第４リード線５２４、第２渡り線５２６及び弾性体２６０は、実際には断面に現れないが参考として実線で示してある（以下、他の図面においても同様。）。また、第２端子２００の矢印は、ピン側の端子（ピン端子）であることを模式的に示すものであり、必ずしも形状を表すものではない（以下、図３、図６及び図８においても同様。）。
図３は、実施形態１に係るコネクタシステム１を説明するために示す断面図である。
【００４７】
（１）基本的な構成
実施形態１に係るコネクタシステム１は、図１〜図３に示すように、嵌合する要部が円筒形をなすレセプタクルコネクタ１０と、嵌合する要部が円柱形をなすプラグコネクタ２０と、を構成要件とする丸形のコネクタシステムである。
【００４８】
レセプタクルコネクタ１０には、図１に示すように、シェル１３０の内側が開口して挿入凹部１３２が形成されており、挿入凹部１３２の奥（底）には第１端子１００を有している。
プラグコネクタ２０は、図２に示すように、先端が挿入凸部２３２として形成されており、その先端付近に第２端子２００を有している。
挿入凹部１３２は、ｘ軸を中心軸とする仮想的な円筒の内側の壁に対応する形状で内壁１３８が形成されている。
挿入凸部２３２は、ｘ軸を中心軸とする円柱状に形成されている。
なお、レセプタクルコネクタ１０は、少なくとも挿入凹部１３２が上記のように円筒の内側の壁に対応する形状であれば、挿入凹部１３２以外の部分を含む外観は円柱状又は円筒状である必要はない。また、参考までに、符号５３０は機器の筐体を示し、符号１７０はレセプタクルコネクタ１０を筐体５３０に固定するためのリングナットを示している。
【００４９】
第１端子１００は、複数の端子からなっている。該複数の端子は、それぞれ第１インシュレータ１４０に埋め込まれており、互いに電気的に絶縁されている。
実施形態１においては、第１端子１００及び第２端子２００のうち、レセプタクルコネクタ１０の第１端子１００の方が、受容側となる端子となっている。受容側となる端子である第１端子１００は、ｘ軸に沿って視たとき、ｘ軸を中心とした同心円により輪郭が形成され、且つ、ｘ軸を中心とした半径の方向に幅を有するドーナッツ状に形成されている《図１（ｂ）参照。》。
第２端子２００は、複数の端子からなっている。該複数の端子は、それぞれ第２インシュレータ２４０に埋め込まれており、互いに電気的に絶縁されている。
実施形態１においては、第１端子及び第２端子のうち、プラグコネクタ２０の第２端子２００の方が、ピン側となる端子となっている。ピン側となる端子である第２端子２００は、ｘ軸に沿って視たとき、受容側となる端子（第１端子１００）の前記幅の内に対応した位置に配置されている（図２参照）。
式で表すと、（ドーナッツ状の第１端子１００の内径）＜（ｘ軸〜第２端子の間の距離）＜（ドーナッツ状の第１端子１００の外径）、の関係となっている。このような関係とすることで、第２端子２００（ピン側となる端子）を第１端子１００（受容側となる端子）のドーナッツの幅の内に収めることができ、ｘ軸を中心としたプラグコネクタ２０の回転角が、レセプタクルコネクタ１０に対してどのような角度であったとしても、第２端子２００を第１端子１００に接触できるようになっている《図１（ｂ）及び図２（ａ）参照。》。
なお、実施形態１においては、第２端子の複数の１番端子２０１は、ｘ軸からの距離が互いに等しい位置に配置されている。同様に第２端子の複数の２番端子２０２は、ｘ軸からの距離が互いに等しい位置に配置されている《図２（ａ）参照。》。また、第２端子２００には、一端が壁に固定され他端が第２端子２００に固定された弾性体２６０が連接されている。弾性体２６０としては、例えばバネ、ゴム製Ｏリング等を採用することができる。コネクタが接続されている間も、弾性体２６０が圧縮される際の弾性力により、第２端子２００は第１端子１００を押圧し、第１端子１００及び第２端子２００の接触を確実なものとし、接続信頼性を高めることができる。また、第１端子１００及び第２端子２００が互いに押圧したときにも、弾性体２６０の力の吸収作用によりピン側の端子が保護され、ピン側の端子の破損を生じづらくさせることができる。
【００５０】
プラグコネクタ２０の挿入凸部２３２は、上記したようにレセプタクルコネクタ１０の挿入凹部１３２の形状に対応するように形成されており、挿入凸部２３２が挿入凹部１３２に対してその挿入方向（＋ｘ方向。定義は後述する。）に平行な軸（ｘ軸。定義は後述する。）に沿って、自在に挿抜できるようになっている。
コネクタシステム１は、レセプタクルコネクタ１０の挿入凹部１３２に、プラグコネクタ２０の挿入凸部２３２が挿入されることにより、第１端子１００と第２端子２００との間で電気的接続がなされる（図３参照。）。
【００５１】
なお、レセプタクルコネクタ１０における挿入口１３４付近には、挿入凹部１３２の内壁端部１３９（内壁１３８の−ｘ方向側の端部をいう。）からテーパー外端部１３７にかけて、−ｘ方向に沿って進むにつれてｘ軸からの距離が徐々に大きくなるテーパー状又は湾曲状の部分（以下、これらを「テーパー部１３６」という。）を有している《図１（ａ）参照。》。
このときレセプタクルコネクタ１０におけるテーパー外端部１３７のｘ軸を中心とした直径ΦＲｏは、プラグコネクタ２０における挿入凸部２３２のｘ軸を中心とした直径ΦＰの１．０５倍以上で且つ１．２倍以下の範囲内とすることが好ましい《図１（ｂ）及び図２（ａ）参照。》。
【００５２】
ここで、プラグコネクタ２０がレセプタクルコネクタ１０に挿入されるときの、プラグコネクタ２０の挿入方向を＋ｘ方向と定義し、＋ｘ方向と逆の方向を−ｘ方向と定義する。また、プラグコネクタ２０を−ｘ方向に視たとき挿入凸部２３２の中央部を通る軸であって＋ｘ方向と平行な軸をｘ軸と定義する。
【００５３】
（２）第１端子１００及び第２端子２００への配線例
実施形態１に係るコネクタシステム１は、一例として、補助人工心臓を動作させるためのコントローラに対し電源供給する線を接続するために用いられる。第１端子１００及び第２端子２００には、少なくとも電源供給線を接続するために用いられる端子を含ませることができる。
例えば、コントローラに対しＤＣ電源（直流電源）の供給を行う場合には、第１端子１００の１番端子１０１にＤＣ＋電位をアサインし、第１端子１００の２番端子１０２にはＤＣ−電位をアサインすることができる。１番端子１０１には第１リード線５１２を接続し、２番端子１０２には第２リード線５１４を接続するものとしてもよい。電源強化のため、複数の２番端子１０２の間を短絡するように第１渡り線５１６で接続してもよい（図１参照。）。
同様に、第２端子２００の１番端子２０１にＤＣ＋電位をアサインし、第２端子２００の２番端子２０２にはＤＣ−電位をアサインすることができる。１番端子２０１には第３リード線５２２を接続し、２番端子２０２には第４リード線５２４を接続するものとしてもよい。第３リード線５２２及び第４リード線５２４は、束ねられたプラグケーブル５２０として、プラグハウジング２３０の外部に引き出すよう構成するものとしてもよい。電源強化のため、複数の２番端子２０２の間を短絡するように第２渡り線５２６で接続してもよいし（図１参照。）、複数の１番端子２０１の間を短絡するように第２渡り線５２６で接続してもよい（図示を省略。）。
【００５４】
なお、プラグコネクタ２０の側からレセプタクルコネクタ１０の側に電源供給を行う場合に、一般的には、電源供給を行う側のプラグコネクタ２０の第２端子２００に受容端子を採用し、電源供給を受ける側のレセプタクルコネクタ１０の第１端子１００にピン端子を採用することが多い。
ただし、一般的にはピン側の端子の方が受容側の端子よりも破損し易い。補助人工心臓を動作させるためのコントローラに対する電源供給のために実施形態１に係るコネクタシステムを用いる場合を想定すると、もし、仮にピン端子が故障してピン端子を交換しなければならない場合には、ピン端子を交換するためにコントローラの動作を一旦停止しなければならない。医療機器の事情からすると、こうした作業は極力避けなければならない。コントローラごと全体を交換するという方法も考えられるが、コントローラは高価であるため、このような方法は現実には採用しづらい。
一方、プラグコネクタを含むプラグケーブル側は、コントローラ側と異なり、比較的安価であり、プラグケーブルごと交換することも容易である。
実施形態１において、プラグケーブル側のプラグコネクタ２０の側にピン端子を配置する構成が好ましい場合もある。このような構成を採れば、上記したような高価なコントローラを交換することもなく、コントローラを停止させることもなく、ピン端子の保全を行うことができる。
【００５５】
（３）第１磁石１１０及び第２磁石２１０の導入
図１及び図２に示すように、レセプタクルコネクタ１０には第１磁石１１０が埋め込まれるようにして設けられている。同様に、プラグコネクタ２０には第２磁石２１０が埋め込まれるようにして設けられている。
第１磁石１１０は、第１面ＳＦ１及び第１面ＳＦ１と反対側の面である第２面ＳＦ２を有する。第２磁石２１０は、第３面ＳＦ３及び第３面ＳＦ３と反対側の面である第４面ＳＦ４を有する。
【００５６】
実施形態１において、第１磁石１１０及び第２磁石２１０は円筒状の磁石である。すなわち、第１磁石１１０及び第２磁石２１０は、ｘ軸の周りを一周してｘ軸を取り囲むようにして形成されたリング状又は筒状のものである。
したがって、第１面ＳＦ１は円筒状の第１磁石１１０の内壁面に対応し、第２面ＳＦ２は円筒状の第１磁石１１０の外壁面に対応する。同様に、第３面ＳＦ３は円筒状の第２磁石２１０の外壁面に対応し、第４面ＳＦ４は円筒状の第２磁石２１０の内壁面に対応する。そして、第１磁石１１０及び第２磁石２１０は、いわばリストバンドの如く、それぞれがｘ軸に沿ってある一定の幅を有している。
【００５７】
第１面ＳＦ１及び第３面ＳＦ３には互いに同じ極性の磁極（図１及び図２の例によればＮ極）が配されている。一方、第２面ＳＦ２及び第４面ＳＦ４には、互いに同じ極性であって、第１面ＳＦ１及び第３面ＳＦ３に配された極性の磁極とは逆の極性の磁極（図１及び図２の例によればＳ極）が配置されている。
実施形態１において、第１磁石１１０及び第２磁石２１０は永久磁石であり、Ｎ極及びＳ極は着磁により磁極が配置される。なお、第１磁石１１０及び第２磁石２１０が電磁石の場合には、コイルに流れる電流の向きを、意図に沿って制御することにより磁極が配置される。
【００５８】
（４）第１磁石１１０及び第２磁石２１０の配置
第１磁石１１０は、レセプタクルコネクタ１０の内部の位置であって、第１面ＳＦ１が挿入凹部１３２に臨むような位置に設けられている。実施形態１においては、第１磁石１１０は、少なくとも第１面ＳＦ１が保護されるようにモールドされており、かかるモールドを介して第１面ＳＦ１が挿入凹部１３２に臨んでいる。
且つ、また、第１磁石１１０は、プラグコネクタ２０がレセプタクルコネクタ１０に挿入されるとき第１面ＳＦ１がｘ軸に沿う関係となるような位置に設けられている。
【００５９】
第２磁石２１０も上記第１磁石１１０に対応するように配置される。
第２磁石２１０は、プラグコネクタ２０の外側の位置であって、第３面ＳＦ３が外側に臨むような位置に設けられている。実施形態１においては第３面ＳＦ３は直接外部に露出しているが、第３面ＳＦ３をモールドするように構成してもよい。
且つ、また、第３面ＳＦ３がｘ軸に沿う関係となるような位置に設けられている。
【００６０】
なお、ここでの「ｘ軸に沿う関係」とは、上記と同様に、第３面ＳＦ３がｘ軸と平行になるようにという意味である。しかし、ここでいう平行は、完全な平行でなくてもよく、実施形態１に係るコネクタシステム１の作用・効果を奏する範囲で概ね平行となっていればよい。
【００６１】
（５）同じ極性の磁極をもつ面の対向
実施形態１に係るコネクタシステム１においては、図３に示すように、プラグコネクタ２０がレセプタクルコネクタ１０に挿入されたとき、第１面ＳＦ１と第３面ＳＦ３とが所与の距離を隔てて対向するようにして第１磁石１１０及び第２磁石２１０が配置されている。
上記したように第１面ＳＦ１及び第３面ＳＦ３には、双方とも同じ極性（例えばＮ極）の磁極が配置されている。これら第１面ＳＦ１及び第３面ＳＦ３を対向させることにより、第１磁石１１０及び第２磁石２１０の間で斥力を生じさせることができ、ひいては第１磁石１１０及び第２磁石２１０がそれぞれ埋め込まれているレセプタクルコネクタ１０及びプラグコネクタ２０との間の反発力又は吸引力（後述する。）を生じさせることができる。
【００６２】
また、第１面ＳＦ１と第３面ＳＦ３とは所与の距離を隔てている。
第１面ＳＦ１と第３面ＳＦ３とが、直接的に接触する（所与の距離が０の場合。）ように構成することもできるが、挿抜回数が多いコネクタシステムの耐久性を考慮すると、所与の距離は相当程度確保した方がよい。実施形態１においては、エアギャップによって離間距離Ｇ１を確保する他に、上記したようにレセプタクルコネクタ１０側の第１磁石１１０の第１面ＳＦ１に若干の樹脂をモールドすることによって離間距離Ｇ２を確保している。
モールドすることにより、第１磁石１１０の第１面ＳＦ１を保護することができると共に、プラグコネクタ２０が挿入される際の滑りを良くすることができ、「挿抜の容易性」を高めることができる。
【００６３】
（６）当接面と磁石の中心との間の距離
レセプタクル側当接面１５０と、ｘ軸に沿った第１磁石の中心Ｃ１との間の距離をＬ１とし《図１（ａ）参照。》、プラグ側当接面２５０と、ｘ軸に沿った第２磁石の中心Ｃ２との間の距離をＬ２とするとき《図２（ｂ）参照。》、実施形態１におけるコネクタシステム１では、Ｌ２がＬ１よりも小さくなるよう設定されている。
【００６４】
実施形態１に係るコネクタシステム１においては、０．５ｍｍ  ＜（Ｌ１−Ｌ２）＜３ｍｍの関係にあることが好ましい。別言すると、プラグコネクタ２０が完全にレセプタクルコネクタ１０に対し挿入されたとき、第２磁石の中心Ｃ２が、第１磁石の中心Ｃ１よりも、０．５ｍｍより大きく３ｍｍよりも小さい範囲で＋ｘ方向にシフトしていることが好ましい（図３の符号ＯＦ１を参照。）。
【００６５】
なお、ここでの「ｘ軸に沿った第１磁石の中心Ｃ１」とは、当該第１磁石１１０を他の磁気要素による影響を受けずに中立の状態に置いたとき、当該第１磁石１１０が描く磁力線が、線対称に分布するものとしたときの対称軸となる位置をいう。上記したように第１磁石はｘ軸に沿ってある一定の幅をもっているため、第１磁石の中心Ｃ１は、典型的には、当該幅の中点の位置をいう。実施形態１では、第１磁石のｘ軸に沿った当該幅の中点の位置を指している。第２磁石の中心Ｃ２の意義も同様であるため、第２磁石の中心Ｃ２の説明を省略する。
【００６６】
実施形態１に係るコネクタシステム１においては、Ｌ２がＬ１よりも小さくなるよう設定されているため、第２磁石の中心Ｃ２の位置が第１磁石の中心Ｃ１の位置と一致した後も、プラグコネクタ２０（挿入凸部２３２）をレセプタクルコネクタ１０（挿入凹部１３２）の更に奥に押し込むことができるようになっている。
【００６７】
このような構成になっているため、プラグコネクタ２０がレセプタクルコネクタ１０に挿入されて、第１端子１００と第２端子２００との間で電気的接続がなされたとき（特に、プラグ側当接面２５０が、レセプタクル側当接面１５０に当接したとき）、ｘ軸に沿った第２磁石の中心Ｃ２が、ｘ軸に沿った第１磁石の中心Ｃ１よりも＋ｘ方向にシフトさせることができる（図３の符号ＯＦ１を参照。）。
【００６８】
なお、プラグコネクタ２０のレセプタクルコネクタ１０への挿入限界を規制するプラグコネクタ２０及びレセプタクルコネクタ１０における壁を、それぞれ「プラグ側当接面２５０」及び「レセプタクル側当接面１５０」と定義するものとする。ここでの「挿入限界を規制する」壁とは、プラグコネクタ２０がレセプタクルコネクタ１０に対し挿入したときに、これ以上挿入できない位置を規定する度当たりに相当するものをいう。
【００６９】
２．実施形態１に係るコネクタシステム１の作用
図４は、実施形態１に係るコネクタシステム１の作用を説明するために示す図である。
図４（ａ）は、プラグコネクタ２０をレセプタクルコネクタ１０に挿入する前の状態を示す断面図である。なお、符号ＳＴは、レセプタクルコネクタ１０を固定してｘ軸における位置を把握したときに、プラグコネクタ２０がレセプタクルコネクタ１０に対して挿入限界まで挿入された時の第２磁石の中心Ｃ２が到達する位置を示している。
図４（ｂ）は、プラグコネクタ２０がレセプタクルコネクタ１０に押し込まれる過程でプラグコネクタ２０が受ける力ＦＰを説明するために模式的に示すグラフである。図４（ｂ）のグラフにおいて、横軸は、第１磁石の中心Ｃ１を原点Ｏとして基準においたときの、プラグコネクタ２０が押し込まれる過程における第２磁石の中心Ｃ２の相対的な位置を示す。原点Ｏよりも右側の象限は、プラグコネクタ２０の第２磁石の中心Ｃ２が、レセプタクルコネクタ１０の第１磁石の中心Ｃ１よりも手前（−ｘ方向側）にある局面に対応する。原点Ｏは、Ｃ２がＣ１と一致した局面に対応する。そして、原点Ｏよりも左側の象限は、Ｃ２がＣ１よりも奥（＋ｘ方向側）にある局面に対応する。縦軸は、プラグコネクタ２０がレセプタクルコネクタ１０に押し込まれる過程で、プラグコネクタ２０（ｘ軸でいうと第２磁石の中心Ｃ２の辺り）が−ｘ方向に受ける力ＦＰを示す。なお、原点ＯとＳＴとの間の距離は、概ね上記したシフト量ＯＦ１と等しいものとなるが、図４（ｂ）においては、理解容易に説明するためにグラフをデフォルメし、図３におけるＯＦ１の作図上のズレ量よりも大きく描いている。
図４（ｃ）は、実施形態１に係るコネクタシステム１との比較のために示すグラフであり、別の従来のコネクタシステム８において、プラグコネクタ９０がレセプタクルコネクタ８０に挿入される過程で、プラグコネクタ９０が受ける力ｆｐを説明するために模式的に示すグラフである。
【００７０】
プラグコネクタ２０がレセプタクルコネクタ１０に押し込まれて挿入される過程は、図４（ｂ）に示すように、大きく分けて、反発モード、吸引モード及び接続完了状態と移り変わる。
【００７１】
（１）反発モード
プラグコネクタ２０がレセプタクルコネクタ１０の挿入口１３４付近に導かれると、第１磁石１１０の第１面ＳＦ及び第２磁石２１０の第３面ＳＦ３が接近する。第１面ＳＦ１及び第３面ＳＦ３が接近すると、第１面ＳＦ１及び第３面ＳＦ３には同じ極性の磁極（例えばＮ極）が配されているため、互いに斥力を生じることとなる。
両磁石による当該斥力により、プラグコネクタは全体として−ｘ方向の力（反発力）を受けることとなる。
このとき、プラグコネクタ２０を持つ使用者の手においては、＋ｘ方向にプラグコネクタ２０を挿入しようとする意図に対抗するように、−ｘ方向に働く反発力を手応えとして感知することができる。
この反発力が感知される状態は第２磁石の中心Ｃ２が第１磁石の中心Ｃ１付近に到達するまで続く。
この状態を反発モードと定義する。
【００７２】
（２）吸引モード
実施形態１に係るコネクタシステム１において、プラグコネクタ２０におけるプラグ側当接面２５０と第２磁石の中心Ｃ２との間の距離Ｌ２が、レセプタクルコネクタ１０におけるレセプタクル側当接面１５０と第１磁石の中心Ｃ１との間の距離Ｌ１よりも小さくなるように設定されている（図１〜図３を参照。）。
このため、反発モードの状態においても、強制的にプラグコネクタ２０に＋ｘ方向の力を加えれば、プラグコネクタ２０を更にレセプタクルコネクタ１０（挿入凹部１３２）の奥に押し込むことができる。
プラグコネクタ２０が押し込まれることにより、第１磁石１１０及び第２磁石２１０の相対的な位置関係が逐一変化し、第１磁石１１０の発する磁力線と第２磁石２１０の発する磁力線との間の干渉の状況も逐一変化するため、斥力の大きさも変化する。これに伴い、プラグコネクタ２０を押し込むために必要な力も変化する。
プラグコネクタ２０に対し更に力を加えて、押し込むための必要な力の閾値を超えると、やがて、第２磁石の中心Ｃ２は、第１磁石の中心Ｃ１を超えて＋ｘ方向側に位置するようになる。この状態になると、両磁石の斥力の方向が反転し、プラグコネクタ２０は＋ｘ方向の力（吸引力）を受けることとなる。
このとき、プラグコネクタ２０を持つ使用者の手においては、プラグコネクタ２０がレセプタクルコネクタ１０の奥の方に引き込まれるような力（＋ｘ方向に働く吸引力）を手応えとして感知することができる。
この吸引力が感知される状態を吸引モードと定義する。
【００７３】
（３）接続完了状態
実施形態１に係るコネクタシステム１は、レセプタクル側当接面１５０及びプラグ側当接面２５０を有する。
このため吸引力を受けたプラグコネクタ２０は、レセプタクルコネクタ１０（挿入凹部１３２）の奥に吸引されて、やがて、レセプタクル側当接面１５０及びプラグ側当接面２５０が互いに当接することとなる。
このとき、プラグコネクタ２０はこれ以上レセプタクルコネクタ１０の奥の方に引き込まれることなく度当たることとなり、プラグコネクタ２０を持つ使用者の手においては、このような度当たりを手応えとして感知することができる。
このようにレセプタクル側当接面１５０及びプラグ側当接面２５０が互いに当接したときには、第１端子１００及び第２端子２００は互いに接触し、第１端子１００と第２端子２００との間で電気的な接続がなされる。
この状態を接続完了状態と定義する。
【００７４】
上記において、レセプタクルコネクタ１０に対しプラグコネクタ２０を挿入する場合を例に挙げて説明した。プラグコネクタ２０を抜く場合の作用は、挿入する場合の作用と逆の作用となる。
【００７５】
３．実施形態１に係るコネクタシステム１の効果
（１）挿抜の感知による挿抜の確実性の向上
別の従来のコネクタシステム８において、プラグコネクタ９０がレセプタクルコネクタ８０に挿入される過程でプラグコネクタ９０が受ける力ｆｐは、図４（ｃ）に示すように、接続完了状態に至るまでの間は一貫して単一方向（マイナス方向）の力であり、一貫して吸引モードとなっている。
一方、実施形態１に係るコネクタシステム１においては、図４（ｂ）に示すように、上記したようにプラグコネクタ２０がレセプタクルコネクタ１０に押し込まれる過程で、プラグコネクタ２０は始め反発力を受け次に吸引力を受けるというように、プラグコネクタ２０が受ける力の向きが変化する。また、プラグコネクタ２０がレセプタクルコネクタ１０に押し込まれる過程で、斥力の大きさも変化する。
したがって、使用者は、プラグコネクタ２０をレセプタクルコネクタ１０に押し込む過程で、プラグコネクタ２０を持つ手を通じて、プラグコネクタ２０が受ける力ＦＰの向きの変化や力の大きさの変化を手応え（クリック感）として感知することができ、これによりプラグコネクタが確実に挿入されたことを認識することができる。しかるに、実施形態１に係るコネクタシステム１によれば「挿抜の確実性」が高いコネクタシステムとすることができる。
なお、プラグコネクタ２０を抜く場合においても、基本的に挿入する場合の効果と同様の効果を奏する。
【００７６】
（２）誤挿入の防止
コネクタを接続する意図があるときには、使用者は、上記のように意識的に反発力に逆らいながらプラグコネクタ２０をレセプタクルコネクタ１０に押し込む作業を行うこととなる。逆にコネクタを接続する意図がないとき、プラグコネクタ２０の挿入凸部２３２が、たまたまレセプタクルコネクタ１０の挿入口１３４付近に位置していたとしても、始めは反発力を生じているため、別の従来のコネクタシステム８のように、プラグコネクタが吸引されて勝手にレセプタクルの奥に引き込まれ意図に反してコネクタが接続されてしまうこともない。このように、実施形態１に係るコネクタシステム１によれば「誤挿入の防止」を担保することができる。
【００７７】
（３）接触の確実化及びコネクタの抜け防止
接続完了状態において、第２磁石の中心Ｃ２が、第１磁石の中心Ｃ１よりも＋ｘ方向にシフトしており（図３の符号ＯＦ１を参照。）、これに伴って第２端子２００は両磁石の斥力により第１端子１００に押圧される。このため、第１端子１００及び第２端子２００の接触が確実なものとなり、接続信頼性を高めることができる（接触の確実化）。
また、両磁石の斥力により常にプラグコネクタ２０はレセプタクルコネクタ１０に吸引されているため、仮にプラグコネクタ２０に外的な力が加わったとしても、容易にプラグコネクタ２０が抜けることはない（コネクタの抜け防止）。
【００７８】
上記（１）〜（３）から、実施形態１によれば「信頼性」の高いコネクタシステムを提供することができる。
【００７９】
（４）挿抜の容易性及び耐久性の向上
実施形態１によれば、上記したようにプラグコネクタ２０をレセプタクルコネクタ１０に対し単に一方向に押し込むだけでコネクタの接続を完了することができるため、「挿抜の容易性」が高いコネクタシステムを提供することができる。併せて「耐久性」のあるコネクタシステムを提供することができる。
【００８０】
（５）実施形態１のコネクタシステム１において、第１磁石１１０及び第２磁石２１０は、ｘ軸の周りを一周してｘ軸を取り囲むようにして形成されたリング状又は筒状のものとなっている。
このため、第１磁石１１０の第１面ＳＦ１及び第２磁石２１０の第３面ＳＦ３を、ｘ軸を取り囲むように一周するように構成することができ、より強い斥力を発生させることができる。このため、上記したプラグコネクタを挿抜する際の手応え（クリック感）を高めることができ、「挿抜の確実性」がより高いコネクタシステムとすることができる。また、上記した「誤挿入の防止」及び「コネクタの抜け防止」の効果を高めることができる。こうして「信頼性」のより高いコネクタシステムとすることができる。
【００８１】
（６）実施形態１のコネクタシステム１において、挿入凹部１３２は、ｘ軸を中心軸とする仮想的な円筒の内側の壁に対応する形状で内壁１３８が形成され、挿入凸部２３２は、ｘ軸を中心軸とする円柱状に形成されている。第１端子１００及び第２端子２００のうち受容側となる端子は、ｘ軸を中心とした同心円により輪郭が形成され、且つ、ｘ軸を中心とした半径の方向に幅を有するドーナッツ状に形成されている。第１端子１００及び第２端子２００のうちピン側となる端子は、受容側となる端子の幅の内に対応した位置に配置されている。
このような構成となっているため、仮にｘ軸を中心としたプラグコネクタの角度がどのような角度であっても、プラグコネクタをレセプタクルコネクタに押し込むことができ、接続を完了することができる。したがって、従来のコネクタシステムのようなキー突出部、キー溝等が不要となり、かかる突出部、溝等を破損することもない。また、キー突出部をキー溝に合わせるためにプラグコネクタを回動させる必要もないことから、ピン端子をインシュレータと摩擦させてピン端子を破損することもない。
また、レセプタクルコネクタに対して任意の角度でプラグコネクタを押し込んでピン端子を受容端子に接触させることができるため、ピン端子の先端が受容端子に接触する位置もランダムなものとなり、長期的には円周方向に均等に接触することとなるため、受容端子の接点の摩耗も均されることとなり長寿命が期待できる。
以上より、従来のコネクタシステムよりも破損しづらく「耐久性」が高いコネクタシステムとすることができる。
【００８２】
また、このような構成となっているため、従来のコネクタシステムのようにキー突出部をキー溝に合わせるためにプラグコネクタを回動させるといった精密な操作をすることもなく、単に一方向に押し込むだけでプラグコネクタとレセプタクルコネクタとの間の接続を完了することができる。したがって、「挿抜の容易性」が高いコネクタシステムとすることができる。ひいては、使用者のプラグコネクタの挿抜操作の負担感も軽減される。
【００８３】
（７）レセプタクルコネクタ１０においてテーパー部１３６を有しているため、プラグコネクタ２０を挿入凹部１３２に導くことが容易になる。このため、プラグコネクタ２０をレセプタクルコネクタ１０に対し挿入しようとする際に、比較的ラフな位置合わせによってもプラグコネクタ２０を挿入凹部１３２に導くことができ、「挿抜の容易性」が高いコネクタシステムとすることができる。ひいては、使用者のプラグコネクタの挿抜操作の負担感も軽減される。
【００８４】
（８）実施形態１に係るコネクタシステム１において、レセプタクルコネクタ１０におけるテーパー外端部１３７の直径ΦＲｏは、プラグコネクタ２０における挿入凸部２３２の直径ΦＰの１．０５倍以上で且つ１．２倍以下の範囲内にある。
このような構成となっているため、挿入凸部２３２の直径に対するテーパー外端部の直径ΦＲｏの比率が小さすぎて、プラグコネクタ２０を精密に位置合わせしなければならないということもない。また、当該比率が大きすぎて、テーパーの角度が緩くなり、プラグコネクタ２０を挿入凹部１３２に導きづらくなってしまうこともない。
しかるに、当該比率を１．０５倍以上且つ１．２倍以下に設定することで、「挿抜の容易性」を適切に確保することができる。
【００８５】
（９）実施形態１に係るコネクタシステム１において、プラグコネクタ２０におけるプラグ側当接面２５０と第２磁石の中心Ｃ２との間の距離をＬ２とし、レセプタクルコネクタ１０におけるレセプタクル側当接面１５０と第１磁石の中心Ｃ１との間の距離をＬ１としたときに、０．５ｍｍ  ＜（Ｌ１−Ｌ２）＜３ｍｍの関係にある。
このような構成となっているため、Ｌ１−Ｌ２の値が大きすぎるために（すなわち、第１磁石の中心Ｃ１と第２磁石の中心Ｃ２が離れすぎているために）、第１磁石１１０による磁力線と第２磁石２１０による磁力線とが干渉する部分（合い衝突する部分）の磁力線の密度が疎となってしまい、十分な斥力が発揮できないということもない。また、Ｌ１−Ｌ２の値が小さすぎるために（すなわち、第１磁石の中心Ｃ１と第２磁石の中心Ｃ２が接近しすぎているために）、第１磁石１１０と第２磁石２１０による斥力のうちｘ軸に垂直な方向の成分の力が強まり、その分、ｘ軸に平行な方向の成分の力が弱まってしまい、プラグコネクタ２０の反発力や吸引力に対し有効に寄与するｘ軸に平行な成分の力を十分に発揮することができない、ということもない。
しかるに、Ｌ１−Ｌ２の値を０．５ｍｍよりも大きく３ｍｍよりも小さい範囲に設定することで、第１磁石と第２磁石による斥力のうち、プラグコネクタの反発力や吸引力に対し有効に寄与するｘ軸に平行な方向の成分の力を、十分に発揮することができる。このようにして得られる十分な斥力により、上記した「挿抜の確実性」を高めることができ、「誤挿入の防止」及び「コネクタの抜け防止」をより適切に奏することができ、一層「信頼性」の高いコネクタシステムとすることができる。
【００８６】
（１０）挿入ストローク
実施形態１に係るコネクタシステム１において、プラグコネクタ２０がレセプタクルコネクタ１０に挿入される過程において、反発モード及び吸引モードの２つのモードを経た後に接続完了状態とする必要がある。そのため、挿入口１３４付近から第１端子１００付近までの距離（挿入ストローク）が、別の従来のコネクタシステム２（吸引モードのみのコネクタシステム）よりも長くなる傾向がある。
しかるに、第１端子１００が挿入口１３４の奥まった位置の配置となり、使用者の指が触れづらくなるため、より安全性の高いコネクタシステムとすることができる。
【００８７】
［実施形態２］    
次に、実施形態２に係るコネクタシステム２を、図５及び図６を用いて説明する。
図５は、実施形態２に係るコネクタシステム２の構成要件であるレセプタクルコネクタ３０を説明するために示す図である。図５（ａ）はレセプタクルコネクタ３０の断面図である。図５（ｂ）は、図５（ａ）に示すレセプタクルコネクタ３０をｘ軸に沿って矢印Ｐ３の方向に視た場合の側面図である。図６は、実施形態２に係るコネクタシステム２の構成要件であるプラグコネクタ４０を説明するために示す図である。図６（ａ）は、図６（ｂ）に示すプラグコネクタ４０をｘ軸に沿って矢印Ｐ４の方向に視た場合の側面図である。図６（ｂ）はプラグコネクタ４０の断面図である。
【００８８】
実施形態２に係るコネクタシステム２は、基本的には実施形態１に係るコネクタシステム１と同様の構成を有するが、コネクタ形状が角形である点が、実施形態１に係るコネクタシステム１とは異なる。すなわち、図５及び図６に示すように、実施形態２に係るコネクタシステム２において、レセプタクルコネクタ３０を＋ｘ方向に視たとき、挿入凹部３３２は、仮想的な四角筒の内側の壁に対応する形状で内壁が形成されており、プラグコネクタ４０を−ｘ方向に視たとき、挿入凸部４３２は、ｘ軸を中心軸とする四角柱状に形成されている。
また、第１端子３００は、ｘ軸に沿って視たとき当該四角筒の重心《図５（ｂ）においてｘ軸として示した点。》を中心として、長辺方向に点対称に配列されている。第２端子４００は、ｘ軸に沿って視たとき、当該四角柱の重心《図６（ａ）においてｘ軸として示した点。》を中心として、長辺方向に点対称に配列されている。
【００８９】
このように、実施形態２に係るコネクタシステム２は、コネクタ形状が角形であるため、使用者（患者）にとってプラグコネクタ４０を把握し易くなっており、プラグコネクタ４０の挿抜の容易性を確保することができる。
【００９０】
なお、レセプタクルコネクタ３０において、第１端子３００の複数の１番端子３０１は、当該四角筒の重心を中心に点対称に配置されている。同様に複数の２番端子３０２も、当該四角柱の重心を中心に点対称に配置されている。また、プラグコネクタ４０における、第２端子４００の複数の１番端子４０１及び第２端子４００の複数の２番端子４０２も同様に点対称に配置されている。
このように、同じピンアサインとなる端子同士が、コネクタの重心を中心に点対称に配置されているため、レセプタクルコネクタ３０に対するプラグコネクタ４０の角度が挿入の度ごとに１８０度変わったとしても、ピンアサインとしては互換性を保ってコネクタ接続を行うことできる。したがって、プラグコネクタ４０の「挿抜の容易性」を確保することができる。
【００９１】
なお、実施形態２に係るコネクタシステム２によれば、コネクタ形状に関する構成以外は実施形態１に係るコネクタシステム１と同様の構成を有するため、実施形態１に係るコネクタシステム１が有する効果のうち該当する効果をそのまま有する。
【００９２】
以上、本発明を上記の実施形態に基づいて説明したが、本発明は上記の実施形態に限定されるものではない。その趣旨を逸脱しない範囲において実施することが可能であり、例えば、次のような変形も可能である。
【００９３】
（１）上記各実施形態において記載した構成要素の数、材質、形状、位置、大きさ、角度等は例示であり、本発明の効果を損なわない範囲において変更することが可能である。
【００９４】
（２）図７は、変形例に係るコネクタシステム２ａを説明するために示す図である。
上記した実施形態２においては、図７（ａ）に示すように、第１磁石１１０及び第２磁石２１０は、ｘ軸の周りを一周してｘ軸を取り囲むようにして形成されたリング状又は筒状のものであったが、本発明はこれに限定されるものではない。例えば、第１磁石１１０及び第２磁石２１０を平板状の磁石を用いて構成することができる。具体的には、図７（ｂ）に示すように、コネクタ形状を角形としつつ、レセプタクルコネクタ３０ａにおいては、平板状の第１磁石３１０ａを複数準備し、それらを挿入凹部３３２を臨むように互いに同じ磁極（図の例ではＮ極）が配された第１面ＳＦ１が対向するように配置することができる。一方、上記に対応して、プラグコネクタ４０ｂにおいても、平板状の第２磁石４１０ａを複数準備して、挿入凸部４３２を挟んで配置し、同じ磁極（図の例ではＮ極）が配された第３面ＳＦ３がプラグコネクタ４０ｂの外側を臨むように配置することができる。
【００９５】
このように平板状の磁石を用いて第１磁石１１０及び第２磁石２１０を構成するので、部材としての磁石の準備が容易であり、シェル及びプラグハウジングへの組み込みが容易であるため、製造コストの低廉化が可能となる。
【００９６】
（３）上記各実施形態においては、レセプタクルコネクタの第１端子として受容端子を採用し、プラグコネクタの第２端子としてピン端子を採用した構成としたが、本発明はこれに限定されるものではない。例えば、図８に示すコネクタシステム１ａのように、レセプタクルコネクタ１０ａの第１端子１００ａとしてピン端子を採用し、プラグコネクタ２０ａの第２端子２００ａとして受容端子を採用することもできる。
なお、図８においては、第２端子２００ａの受容端子として、ソケット形の例を示したが、面で受容する形のものであってもよい。
【００９７】
コネクタシステムの用い方として、例えば、プラグコネクタ２０ａの側からレセプタクルコネクタ１０ａの側に電源供給を行う場合には、上記のように、プラグコネクタ２０ａの第２端子２００ａに受容端子を採用することで（現に電源が供給されている端子に、ピン端子ではなく受容端子を採用することで）、より安全性を高めることができる。
【符号の説明】
【００９８】
１，１ａ，２，２ａ，６，８…コネクタシステム、１０，１０ａ，３０，３０ａ，６０，８０…レセプタクルコネクタ、２０，２０ａ，４０，４０ｂ，７０，９０…プラグコネクタ、１００，１００ａ，３００，６００，８００…第１端子、１０１，２０１，３０１，４０１…１番端子、１０２，２０２，３０２，４０２…２番端子、１１０，３１０ａ…第１磁石、１３０，６３０，８３０…シェル、１３２，３３２，８３２…挿入凹部、１３４，８３４…挿入口、１３６…テーパー部、１３７…テーパー外端部、１３８…内壁、１３９…内壁端部、１４０，６４０…第１インシュレータ、１５０，８５０…レセプタクル側当接面、２００，２００ａ，４００，７００，９００…第２端子、２１０，４１０ａ…第２磁石、２３０…プラグハウジング、２３２，４３２，９３２…挿入凸部、２４０，７４０…第２インシュレータ、２５０，９５０…プラグ側当接面、２６０，９６０…弾性体、５１２…第１リード線、５１４…第２リード線、５１６…第１渡り線、５２０…プラグケーブル、５２２…第３リード線、５２４…第４リード線、５２６…第２渡り線、６３２…キー溝、７３０…プラグ本体、７３５…バーレル、７３７…突出キー、８１０…第１磁気要素、８１２…第１磁気接触面、９１０…第２磁気要素、９１２…第２磁気接触面
【図１】
2018055959.tif 000003
【図２】
2018055959.tif 000004
【図３】
2018055959.tif 000005
【図４】
2018055959.tif 000006
【図５】
2018055959.tif 000007
【図６】
2018055959.tif 000008
【図７】
2018055959.tif 000009
【図８】
2018055959.tif 000010
【図９】
2018055959.tif 000011
【図１０】
2018055959.tif 000012